(57)【要約】【課題】背凭れが、特に前後方向に向けて十分な調整しろを取ることができ、椅子後部の張出しを抑えて形状をコンパクトにした椅子を提供すること。【解決手段】背杆１１は、背枠１０の下部から前下方に向けて傾斜した傾斜部１１ａと、傾斜部１１ａに連続して延設されるとともに傾斜部１１ａより緩やかで且つ床面に対し４５度未満の特定角度θにて前下方に向けて傾斜した延設部１１ｂと、を備え、背凭れ６は、特定角度θに沿って延設部１１ｂが摺動することで、前下方と後上方とにかけて調整可能となっており、延設部１１ｂは、前下方に向けて摺動させた際に、支柱４を挟み込むように左右一対に延設されている。【選択図】図１
2008023193.tif 000002
【特許請求の範囲】
【請求項１】
脚体より立設した支柱上に座体を取り付け、該座体の後方に位置する背枠と該背枠の下部から前下方に延設された背杆とからなる背凭れが、調整可能となるように、前記背杆が前記座体に取り付けられた椅子において、
前記背杆は、前記背枠の下部から前下方に向けて傾斜した傾斜部と、該傾斜部に連続して延設されるとともに前記傾斜部より緩やかで且つ床面に対し４５度未満の特定角度にて前下方に向けて傾斜した延設部と、を備え、前記背凭れは、前記特定角度に沿って前記延設部が摺動することで、前下方と後上方とにかけて調整可能となっており、
前記延設部は、前下方に向けて摺動させた際に、前記支柱を挟み込むように左右一対に延設されていることを特徴とする椅子。
【請求項２】
前記背杆の傾斜部は、前記延設部に連続して左右一対に延設されていることを特徴とする請求項１に記載の椅子。
【請求項３】
前記背枠は、その下部が後下方に向かって延設されており、該背枠の下部と前記背杆とにより側面視前向き凹のく字状部となるように形成され、前記背凭れを前下方に移動させた際に、前記座体の後端部が前記く字状部に収容されるようにしたことを特徴とする請求項１または２に記載の椅子。
【発明の詳細な説明】
【技術分野】
【０００１】
本発明は、脚体より立設した支柱上に座体を取り付け、この座体の後方に位置する背枠とこの背枠の下部から前下方に延設された背杆とからなる背凭れが、調整可能となるように、背杆が前記座体に取り付けられた椅子に関する。
【背景技術】
【０００２】
従来の椅子は、背凭れを構成する部分である背杆を摺動することにより、前下方から後上方にかけて調整可能となっている（例えば、特許文献１参照）。
【０００３】
【特許文献１】実用新案登録第２５９６９２９号公報（第２頁、第１図）
【発明の開示】
【発明が解決しようとする課題】
【０００４】
しかしながら、特許文献１にあっては、背凭れを前方向に向けて調整する際に、背杆が支柱に当接してしまう虞が生じるため、特に前後方向には十分な調整しろを取ることができない場合があった。また、背杆の延設方向に依っては、着座者の背中の荷重を受ける部分としての背凭れ部に対する背杆の延設箇所が、座体に対し後方側に張り出してしまい、椅子の形状が大型化してしまう虞があった。
【０００５】
本発明は、このような問題点に着目してなされたもので、背凭れが、特に前後方向に向けて十分な調整しろを取ることができ、椅子後部の張出しを抑えて形状をコンパクトにした椅子を提供することを目的とする。
【課題を解決するための手段】
【０００６】
前記課題を解決するために、本発明の請求項１に記載の椅子は、
脚体より立設した支柱上に座体を取り付け、該座体の後方に位置する背枠と該背枠の下部から前下方に延設された背杆とからなる背凭れが、調整可能となるように、前記背杆が前記座体に取り付けられた椅子において、
前記背杆は、前記背枠の下部から前下方に向けて傾斜した傾斜部と、該傾斜部に連続して延設されるとともに前記傾斜部より緩やかで且つ床面に対し４５度未満の特定角度にて前下方に向けて傾斜した延設部と、を備え、前記背凭れは、前記特定角度に沿って前記延設部が摺動することで、前下方と後上方とにかけて調整可能となっており、
前記延設部は、前下方に向けて摺動させた際に、前記支柱を挟み込むように左右一対に延設されていることを特徴としている。
この特徴によれば、延設部を前下方と後上方とにかけて４５度未満の特定角度に沿って摺動する際に、背杆の前後方向の移動距離が上下方向の移動距離よりも大きくなるが、延設部が左右一対に延設されており、前下方に移動したときに支柱を回避して摺動できるため、背凭れが、特に前後方向に向けて十分な調整しろを取ることができる。また、傾斜部が延設部より急傾斜で背枠の下部から延びており、背枠に対する傾斜部の延設箇所を、座体に近い前方側に位置することができるため、椅子後部の張出しを抑えて形状をコンパクトに出来るばかりか、椅子の後方からの美観を損ねることがない。
【０００７】
本発明の請求項２に記載の椅子は、請求項１に記載の椅子であって、前記背杆の傾斜部は、前記延設部に連続して左右一対に延設されていることを特徴としている。
この特徴によれば、背杆を構成する傾斜部と該傾斜部に連続した延設部とが、一体に形成されて所定間隔離間した左右一対に延設されているため、着座者の荷重を左右方向に安定して支持することが出来る。また、背杆を成型し易くできるばかりか、背杆全体の形状がシンプルとなって見栄えもよい。
【０００８】
本発明の請求項３に記載の椅子は、請求項１または２に記載の椅子であって、前記背枠は、その下部が後下方に向かって延設されており、該背枠の下部と前記背杆とにより側面視前向き凹のく字状部となるように形成され、前記背凭れを前下方に移動させた際に、前記座体の後端部が前記く字状部に収容されるようにしたことを特徴としている。
この特徴によれば、背凭れを前下方に移動させた際に、座体の後端部が、く字状部に収容されるため、収容しろ分だけ背枠を前方に移動できる。特に、背枠を座体の直上後部まで移動できるので、例えば、成長期にある子ども用の椅子として利用して、子どもの成長に合わせて座体の有効座部面積を後方に向かって拡げることが出来る。
【発明を実施するための最良の形態】
【０００９】
本発明に係る椅子を実施するための最良の形態を実施例に基づいて以下に説明する。
【実施例】
【００１０】
本発明の実施例を図面に基づいて説明すると、先ず図１は、実施例における椅子を示す斜視図であり、図２は、椅子を後下方から見たときの取付部と背杆を示す斜視図であり、図３は、背凭れを低位置に調整した状態の椅子を示す側面図であり、図４は、背凭れを高位置に調整した状態の椅子を示す側面図である。
【００１１】
図１に示されるように、本実施例における椅子１の各部概要について説明すると、脚体２より立設した支柱４上に座体５を取り付け、座体５の後方に位置する、背枠１０と背杆１１及び背シート体１２からなる背凭れ６が、後述のように摺動して前下方と後上方とにかけて調整可能となるように、背杆１１が座体５に取り付けられている。
【００１２】
図３及び図４に示すように、本実施例の椅子１は、成長期にある子ども用の椅子であり、背凭れ６は、座体５に対して着座者の荷重によって後方に撓むようになっており、後述のように前下方と後上方とにかけて摺動して調整可能となっている。尚、本実施例において説明する上下前後左右の方向は、椅子１の着座者から視た方向であるものとする。
【００１３】
脚体２は、その上端が支柱４の下部と接続されて支柱４を中心に平面視で放射状に延びているとともに、脚体２の下端には、床面と直交方向に枢着されたキャスタ３が全方向に回転可能に設けられ、キャスタ３の回転方向に椅子１が床面を移動できるようになっている。また、座体５及び座体５に取り付けられた背凭れ６は、支柱４の軸方向に対し回動自在に軸支されており、着座者が着座した状態で、支柱４の軸周りに向きを変えられる。
【００１４】
また、支柱４は、入れ子式の分割構造に設けられ、その軸方向に伸縮自在となっているため、支柱４上に取り付けた座体５及び座体５に取り付けた背凭れ６は、後述する背凭れ６の摺動による調整とは独立して、支柱４の伸縮により脚体２に対して高さ調整出来るようになっている。即ち、背凭れ６の摺動と支柱４の伸縮とを夫々行うことにより、子どもの成長に合わせて、椅子１の形状寸法を適宜調整できる。
【００１５】
次に、背凭れ６について詳述する。図１及び図２に示すように、背凭れ６は、上下左右の枠杆１０ａ、１０ｂ、１０ｃにより正面視略中央が開口する背枠１０と、背枠１０下部の下枠杆１０ｃの左右方向略中央部から前下方に延設されているとともに、座体５に取り付けた背杆１１と、開口Ｋを塞ぐ背シート体１２と、からなる。
【００１６】
また、図３及び図４に示すように、背枠１０は、左右枠杆１０ｂ、１０ｂの上下方向略中央部を、側面視前向き凸のく字状の屈曲部１０ｄを有し、屈曲部１０ｄより上方が後方に撓むようにしている。背杆１１は、背枠１０と一体に可撓性材料としてのプラスチックにより成型されている。
【００１７】
このようにすることで、背凭れ６を構成する背枠１０と背杆１１とを一体に成型しているため、両部材１０、１１の組付けが不要且つ加工が容易である。また、背枠１０の正面視略中央が開口した上下左右の枠杆１０ａ、１０ｂ、１０ｃにより成型されているため、背枠１０が開口を有さず面体で構成されている場合と比べて、背シート体１２を介した着座者の荷重を、開口Ｋを有し且つ一体に成型された上下左右の枠杆１０ａ、１０ｂ、１０ｃのねじれで吸収でき、可撓性を維持できる。
【００１８】
背枠１０は、左右枠杆１０ｂにおける前後方向の厚みが、下枠杆１０ｃから上枠杆１０ａに近づくに従って小さくなっている。すなわち下枠杆１０ｃ及び左右枠杆１０ｂにおける下枠杆１０ｃの近傍の前後方向の厚みが、上枠杆１０ａ及び左右枠杆１０ｂにおける上枠杆１０ａの近傍の前後方向の厚みと比べて大きくなっており、主に屈曲部１０ｄを境に、左右枠杆１０ｂにおける撓み剛性が、下枠杆１０ｃに近づくにつれて強く、かつ上枠杆１０ａに近づくにつれて弱くなる構成となっている。そのため着座者が背凭れ６に荷重をかけた際に、上枠杆１０ａ及び左右枠杆１０ｂの上部が撓みやすくなっており、背凭れ６のクッション性を高められるばかりか、下枠杆１０ｃ及び左右枠杆１０ｂの下部が撓み難くなっており、特に、背凭れ６に加わる荷重が集中する下枠杆１０ｃにおける背杆１１が延設された部位を強固に形成できる。
【００１９】
また、背枠１０における左右枠杆１０ｂ、１０ｂの夫々の左右幅を、上方から下方に向かって漸次大としており、このようにすることで、左右枠杆１０ｂ、１０ｂの剛性が、上方から下方に向かって漸次大となり、着座者の荷重による撓み量を上方から下方に向かって減少させることが出来るため、背枠１０の前下方に延設された背杆１１と取付部７との取り付けに対し、この撓みによる影響を少なくして、安定して背杆１１を高さ調整できる。
【００２０】
次に、背杆１１について説明すると、背杆１１は、背枠１０の下枠杆１０ｃから前下方に向けて、床面に対し傾斜角度θ’にて傾斜した傾斜部１１ａと、この傾斜部１１ａに連続して延設されるとともに傾斜部１１ａの傾斜角度θ’より緩やかで、且つ床面に対し４５度未満の特定角度θ（θ’＞θ）として略２４度にて傾斜した延設部１１ｂと、を備えており、背凭れ６は、特定角度θに沿って延設部１１ｂがその延設方向に摺動することで、前下方と後上方とにかけて調整可能となっている（図３参照）。
【００２１】
このようにすることで、延設部１１ｂを前下方と後上方とにかけて特定角度θに沿って摺動する際に、背杆１１と一体に成形された背枠１０の前後方向の移動距離が上下方向の移動距離よりも大きくなるため、成長期にある子ども用の椅子として利用して、子どもの成長に合わせて背枠１０を後上方に向かって調整することが出来る。
【００２２】
本実施例では、延設部１１ｂが前下方に向けて傾斜する特定角度θとして、略２４度に設定されているが、このようにすることで、子どもの成長に合わせて、ＪＩＳ規格に則した座体５の奥行き寸法と背枠１０の高さ寸法との相関を維持しながら、座体５に対し背枠１０の位置を後上方に向かって調整することが出来る。延設部１１ｂを最前下方に移動させた状態における椅子１のサイズはＪＩＳ２号であり、延設部１１ｂを最後上方に移動させた状態における椅子１のサイズはＪＩＳ５号である。
【００２３】
尚、延設部１１ｂが傾斜する特定角度θは、必ずしも前記した略２４度に限られるものではなく、４５度未満であって、背杆１１の前後方向の移動距離が上下方向の移動距離よりも大きくなっていればよい。
【００２４】
また、背杆１１を構成する傾斜部１１ａと延設部１１ｂとは、所定間隔離間して左右一対に延設されており、延設部１１ｂは、座体５の下面に設けられた取付部７を左右から挟持するようにして取り付けてある。このようにすることで、左右方向に所定間隔離間させた位置において、背杆１１が延設されているため、着座者の荷重に対し、背杆１１と取付部７との取り付けが安定する。特に、着座者が左右方向における一方側に偏荷重をかけた場合でも、該一方側に位置する背杆１１により偏荷重を受け持つことができる。
【００２５】
次に、取付部７における背杆１１の取付構造について、図３における部分拡大図を参照して説明する。左右一対をなす背杆１０の延設部１１ｂには、延設部１１ｂ同士が互いに対向する対向面に、延設部１１ｂの延設方向に沿って突設された嵌合突条１５が形成されている。
【００２６】
また、嵌合突条１５の上面には、嵌合突条１５の延設方向に沿って並べられる複数の溝状の係合凹部１６が形成されている。尚、溝状の係合凹部１６は、互いに平行をなすように配置され、嵌合突条１５を側方から見たときに、複数の係合凹部１６が緩やかな曲線によって波打つように形成されている。
【００２７】
一方、取付部７は、座体５の下面側に固着された取付基部２０と、座体５の下面側と取付基部２０との間に配置される係合部材２１と、この係合部材２１を上下動させる操作部材２２と、からなる。取付基部２０は略箱体状をなし、左右一対の延設部１１ｂの左右幅に納まる寸法に形成されている。また、取付基部２０の左右両側には、延設部１１ｂの嵌合突条１５が嵌合される被嵌合部２３が形成されている（図２参照）。
【００２８】
操作部材２２は、係合部材２１の雌ネジ孔（図示略）に螺合される雄ネジ部２８を有し、雄ネジ部２８の下端に操作摘み２９が設けられている。操作摘み２９を回動操作することにより、係合部材２１を取付基部２０内で上下動させることができる。この操作摘み２９は座体５の下方側に突出するように設けられている（図２参照）。
【００２９】
調整者が背凭れ６の高さ位置を調整する際には、操作摘み２９を回動操作して係合部材２１を上方に移動させる。係合部材２１が上方に移動されると、係合凸部２６が係合凹部１６から外れるので、嵌合突条１５は被嵌合部２３内を摺動することができる。この状態で調整者が背凭れ６を掴んで前下方と後上方との間を移動させ、椅子１の着座者の体型に合わせた位置に背凭れ６を配置することができる。
【００３０】
背凭れ６を固定する際には、操作摘み２９を回動操作して係合部材２１を下方に移動させる。係合部材２１が下方に移動されると、係合凸部２６が係合凹部１６に係合されので、嵌合突条１５は被嵌合部２３内を摺動不能な状態に安定して固定される。
【００３１】
図１に示されるように、延設部１１ｂは、その延設方向に前下方に向けて摺動させた際に、支柱４を挟み込むように左右一対に延設されており、このようにすることで、延設部１１ｂを前下方と後上方とにかけて４５度未満の特定角度θに沿って摺動する際に、背杆１１の前後方向の移動距離が上下方向の移動距離よりも大きくなるが、延設部１１ｂが左右一対に延設されており、前下方に移動したときに支柱４を回避して摺動できるため、特に前後方向に向けて十分な調整しろを取ることができる。
【００３２】
また、傾斜部１１ａが延設部１１ｂより急傾斜で背枠１０の下部から延びており、背枠１０に対する傾斜部１１ａの延設箇所を、座体５に近い前方側に位置することができるため、椅子１後部の張出しを抑えて形状をコンパクトに出来るばかりか、椅子１の後方からの美観を損ねることがない。
【００３３】
また、傾斜部１１ａは、延設部１１ｂに連続して左右一対に延設されており、このようにすることで、背杆１１を構成する傾斜部１１ａと、傾斜部１１ａに連続した延設部１１ｂとが、一体に形成されて所定間隔離間した左右一対に延設されているため、着座者の荷重を左右方向に安定して支持することが出来る。また、背杆１１を成型し易くできるばかりか、背杆１１全体の形状がシンプルとなって見栄えもよい。
【００３４】
尚、傾斜部１１ａは、必ずしも延設部１１ｂと同様に、左右一対に延設されているに限られず、例えば左右方向に所定幅を有して形成され、該所定幅を有する傾斜部の左右両端部から、前記したように左右一対の延設部が延設されていてもよい。
【００３５】
背枠１０は、屈曲部１０ｄの下部が後下方に向かって延設されており、このように延設された背枠１０の下部と、前下方に向かって延設された傾斜部１１ａ及び延設部１１ｂからなる背杆１１とにより、側面視前向き凹のく字状部１３となるように形成され、背凭れ６を前下方に移動させた際に、座体５の後端部がく字状部１３に収容されるようになっている。
【００３６】
このようにすることで、背凭れ６を前下方に移動させた際に、座体５の後端部が、く字状部１３に収容されるため、収容しろ分だけ背枠１０を前方に移動できる。特に、背枠１０を座体５の直上後部まで移動できるので、本実施例のように、椅子１を成長期にある子ども用の椅子として利用して、子どもの成長に合わせて座体５の有効座部面積を後方に向かって拡げることが出来る。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
例えば、前記実施例では、椅子１は、成長期にある子ども用の椅子であるが、背凭れを構成する背杆が背枠と一体に可撓性材料により成型されていれば、椅子の用途は、必ずしも子ども用であるに限られず、事務用など一般の用途であっても構わない。
【００３９】
また、前記実施例では、背杆１１は、背枠１０と一体に可撓性材料としてのプラスチックにより成型されているが、背杆と背枠との成型は必ずしも上記実施例に限られず、例えば、背杆と背枠とが別体から成り、背枠の下枠杆の左右方向略中央部において接続されていてもよい。
【図面の簡単な説明】
【００４０】
【図１】実施例における椅子を示す斜視図である。
【図２】椅子を後下方から見たときの取付部と背杆を示す斜視図である。
【図３】背凭れを低位置に調整した状態の椅子を示す側面図である。
【図４】背凭れを高位置に調整した状態の椅子を示す側面図である。
【符号の説明】
【００４１】
１                椅子
２                脚体
３                キャスタ
４                支柱
５                座体
６                背凭れ
７                取付部
１０              背枠
１０ａ            上枠杆
１０ｂ            左右枠杆
１０ｃ            下枠杆
１０ｄ            屈曲部
１１              背杆
１１ａ            傾斜部
１１ｂ            延設部
１２              背シート体
１３              く字状部
１５              嵌合突条
１６              係合凹部
２０              取付基部
２１              係合部材
２２              操作部材
２３              被嵌合部
２６              係合凸部
２８              雄ネジ部
２９              操作摘み
Ｋ                開口
θ                特定角度
θ’              傾斜角度
【図１】
2008023193.tif 000003
【図２】
2008023193.tif 000004
【図３】
2008023193.tif 000005
【図４】
2008023193.tif 000006